(57)【要約】【課題】低コストにて非接触ＩＣカードのメーカ毎の特性の違いを吸収し、安定且つ良好な通信が可能な無線通信装置を提供すること。【解決手段】無線通信装置（ＲＷ）は、レスポンス要求信号を送信する送信手段（１１、１２ａ）と、レスポンス要求信号に対応してレスポンスを受信する受信手段（１１、１２ｂ）と、媒体の種別毎の検定条件を記憶する記憶手段（１６）と、レスポンスに含まれる無線媒体の種類を示す媒体種類情報及び前記記憶手段に記憶された情報に基づきレスポンスの送信先である無線媒体に対する検定回数を設定し、レスポンス要求信号を検定回数分送信させ、この検定回数分のレスポンス要求信号に対応するレスポンスを受信することにより、レスポンスの送信先である無線媒体を確定し所定のコマンドの送信を開始する通信制御手段（１５）とを備えている。【選択図】      図１
2005094586.tif 000002
【特許請求の範囲】
【請求項１】
無線通信媒体と無線通信する無線通信装置であって、
無線通信媒体に対してレスポンスを要求するレスポンス要求信号を送信する送信手段と、
前記送信手段により送信された前記レスポンス要求信号に対応して無線通信媒体から送信されるレスポンスを受信する受信手段と、
無線通信媒体の種別を示す媒体種別情報に関連付けられた媒体の種別毎の検定条件を記憶する記憶手段と、
前記レスポンスに含まれる無線通信媒体の種類を示す媒体種類情報、及び前記記憶手段に記憶された媒体種別情報に関連付けられた種別毎の検定条件に基づき、前記レスポンスの送信先である無線通信媒体に対する検定回数を設定し、前記送信手段により前記レスポンス要求信号を検定回数分送信させ、前記受信手段により検定回数分のレスポンス要求信号に対応するレスポンスを受信することにより、前記レスポンスの送信先である無線通信媒体を確定し所定のコマンドの送信を開始する通信制御手段と、
を備えたことを特徴とする無線通信装置。
【請求項２】
前記通信制御手段は、前記受信手段によるレスポンスの受信確率が所定の確率未満の場合には、所定の待ち時間が経過後に再び前記送信手段により前記レスポンス要求信号を検定回数分送信させ、前記受信手段により検定回数分のレスポンス要求信号に対応するレスポンスを受信することにより、前記レスポンスの送信先である無線通信媒体を確定し所定のコマンドの送信を開始することを特徴とする請求項１に記載の無線通信装置。
【請求項３】
前記通信制御手段は、前記受信手段による前記検定回数分のレスポンス要求信号に対応するレスポンスの受信が未完了であり且つレスポンスの受信確率が所定の確率以上の場合には、直ちに再び前記送信手段により前記レスポンス要求信号を検定回数分送信させ、前記受信手段により検定回数分のレスポンス要求信号に対応するレスポンスを受信することにより、前記レスポンスの送信先である無線通信媒体を確定し所定のコマンドの送信を開始することを特徴とする請求項１又は２に記載の無線通信装置。
【請求項４】
前記通信制御手段は、前記受信手段による前記検定回数分のレスポンス要求信号に対応するレスポンスの受信が未完了の場合には、再び前記送信手段により前記レスポンス要求信号を１回以上送信させ、前記検定回数分のレスポンス要求信号に対応するレスポンスの受信、及び再び１回以上送信したレスポンス要求に対応するレスポンスの受信を含む全てのレスポンスの受信における連続受信回数が所定回数以上になることを条件として前記レスポンスの送信先である無線通信媒体を確定し所定のコマンドの送信を開始することを特徴とする請求項１に記載の無線通信装置。
【請求項５】
無線通信媒体と無線通信する無線通信方法であって、
無線通信媒体に対してレスポンスを要求するレスポンス要求信号を送信し、
前記レスポンス要求信号に対応して無線通信媒体から送信されるレスポンスを受信し、
前記レスポンスに含まれる無線通信媒体の種類を示す媒体種類情報、及び予め記憶された媒体種別情報に関連付けられた種別毎の検定条件に基づき、前記レスポンスの送信先である無線通信媒体に対する検定回数を設定し、
前記レスポンス要求信号を検定回数分送信し、
前記検定回数分のレスポンス要求信号に対応するレスポンスを受信することにより、前記レスポンスの送信先である無線通信媒体を確定し所定のコマンドの送信を開始する、
ことを特徴とする無線通信方法。
【請求項６】
前記検定回数分のレスポンス要求信号に対応するレスポンスの受信確率が所定の確率未満の場合には、所定の待ち時間が経過後に再び前記レスポンス要求信号を検定回数分送信し、
前記検定回数分のレスポンス要求信号に対応するレスポンスを受信することにより、前記レスポンスの送信先である無線通信媒体を確定し所定のコマンドの送信を開始する、
ことを特徴とする請求項５に記載の無線通信方法。
【請求項７】
前記検定回数分のレスポンス要求信号に対応するレスポンスの受信が未完了であり且つレスポンスの受信確率が所定の確率以上の場合には、直ちに再び前記レスポンス要求信号を検定回数分送信し、
前記検定回数分のレスポンス要求信号に対応するレスポンスを受信することにより、前記レスポンスの送信先である無線通信媒体を確定し所定のコマンドの送信を開始する、
ことを特徴とする請求項５又は７に記載の無線通信方法。
【請求項８】
前記検定回数分のレスポンス要求信号に対応するレスポンスの受信が未完了の場合には、再び前記レスポンス要求信号を１回以上送信し、
前記検定回数分のレスポンス要求信号に対応するレスポンスの受信、及び再び１回以上送信したレスポンス要求に対応するレスポンスの受信を含む全てのレスポンスの受信における連続受信回数が所定回数以上になることを条件として前記レスポンスの送信先である無線通信媒体を確定し所定のコマンドの送信を開始する、
ことを特徴とする請求項６に記載の無線通信方法。
【請求項９】
媒体種別情報に基づき媒体の種別に応じた検定処理を経て無線通信を行なう無線通信装置と無線通信可能な無線通信媒体であって、
本媒体の種別を示す媒体種別情報を記憶する記憶手段と、
前記無線通信装置から送信されるレスポンスを要求するレスポンス要求信号を受信する受信手段と、
前記レスポンス要求信号に対応して前記無線通信装置に対して、前記記憶手段に記憶された前記媒体種別情報を含むレスポンスを送信する送信手段と、
を備えたことを特徴とする無線通信媒体。
【発明の詳細な説明】
【技術分野】
【０００１】
本発明は、無線通信媒体（非接触ＩＣカード）と通信する無線通信装置、及び無線通信媒体との無線通信に適用可能な無線通信方法に関する。
【背景技術】
【０００２】
近年、情報の安全性と携帯の利便性の面から非接触で利用可能な非接触ＩＣカードの普及が進んでおり、このような非接触情報送受信に関する各種提案がなされている。
【０００３】
例えば、非接触ＩＣカードと無線通信するリーダライタ装置が、非接触ＩＣカードからのカード種類情報を受信した際に、このカード種類情報から自身のメモリに格納されているカード種類テーブルから、該当するカード種類に適した受信感度（磁界強度やアンテナ利得）データを取得して、これに適合するように増幅部や整合回路のインピーダンス等のハードウェア設定を切り替える技術が開示されている（特許文献１参照）。
【特許文献１】特開２００３−１６８０８３
【発明の開示】
【発明が解決しようとする課題】
【０００４】
しかしながら、上記した特許文献１には、以下のような問題がある。
【０００５】
（１）ハードウェアの構成が複雑となり、装置の小型化あるいは低コスト化が難しい。
【０００６】
（２）非接触ＩＣカードとリーダライタ間の距離がある程度離れている場合には有効であるが、非接触ＩＣカードがリーダライタに近づいたことを知る術がないので、密着に近い状態になった場合にはリーダライタから受ける磁界強度が大きすぎて非接触ＩＣカードにダメージを与える可能性がある。
【０００７】
（３）非接触ＩＣカードのメーカ毎の特性の違いをハードウェアで吸収している場合、新規参入メーカあるいは新型の非接触ＩＣカード開発され、これらの特性が現状のハードウェアで吸収できる範囲になかった場合、新たにリーダライタのハードウェアを開発しなおす必要があり、開発コストやリプレースのコストが発生する。
【０００８】
本発明の目的は、上記課題を解決するためになされたものであり、低コストにて非接触ＩＣカードのメーカ毎の特性の違いを吸収し、安定且つ良好な通信が可能な無線通信装置及び無線通信方法を提供することにある。また、この無線通信方法で適用可能な無線通信媒体を提供することにある。
【課題を解決するための手段】
【０００９】
この発明の無線通信装置、無線通信方法、及び無線通信媒体は、以下のように構成されている。
【００１０】
（１）この発明の無線通信装置は、無線通信媒体に対してレスポンスを要求するレスポンス要求信号を送信する送信手段と、前記送信手段により送信された前記レスポンス要求信号に対応して無線通信媒体から送信されるレスポンスを受信する受信手段と、無線通信媒体の種別を示す媒体種別情報に関連付けられた媒体の種別毎の検定条件を記憶する記憶手段と、前記レスポンスに含まれる無線通信媒体の種類を示す媒体種類情報、及び前記記憶手段に記憶された媒体種別情報に関連付けられた種別毎の検定条件に基づき、前記レスポンスの送信先である無線通信媒体に対する検定回数を設定し、前記送信手段により前記レスポンス要求信号を検定回数分送信させ、前記受信手段により検定回数分のレスポンス要求信号に対応するレスポンスを受信することにより、前記レスポンスの送信先である無線通信媒体を確定し所定のコマンドの送信を開始する通信制御手段とを備えている。
【００１１】
（２）この発明の無線通信方法は、無線通信媒体に対してレスポンスを要求するレスポンス要求信号を送信し、前記レスポンス要求信号に対応して無線通信媒体から送信されるレスポンスを受信し、前記レスポンスに含まれる無線通信媒体の種類を示す媒体種類情報、及び予め記憶された媒体種別情報に関連付けられた種別毎の検定条件に基づき、前記レスポンスの送信先である無線通信媒体に対する検定回数を設定し、前記レスポンス要求信号を検定回数分送信し、前記検定回数分のレスポンス要求信号に対応するレスポンスを受信することにより、前記レスポンスの送信先である無線通信媒体を確定し所定のコマンドの送信を開始する。
【００１２】
（３）この発明の無線通信媒体は、媒体種別情報に基づき媒体の種別に応じた検定処理を経て無線通信を行なう無線通信装置と無線通信可能な無線通信媒体であって、本媒体の種別を示す媒体種別情報を記憶する記憶手段と、前記無線通信装置から送信されるレスポンスを要求するレスポンス要求信号を受信する受信手段と、前記レスポンス要求信号に対応して前記無線通信装置に対して、前記記憶手段に記憶された前記媒体種別情報を含むレスポンスを送信する送信手段とを備えている。
【発明の効果】
【００１３】
本発明によれば、低コストにて非接触ＩＣカードのメーカ毎の特性の違いを吸収し、安定且つ良好な通信が可能な無線通信装置及び無線通信方法を提供できる。また、この無線通信方法で適用可能な無線通信媒体を提供できる。
【発明を実施するための最良の形態】
【００１４】
以下、図面を参照し、本発明の実施形態について説明する。
【００１５】
図１は、この発明の一例に係るカードリーダライタ（無線通信装置）の概略構成を示す図である。図１に示すように、カードリーダライタＲＷは、アンテナ１１、送受信部１２、電源回路１４、制御部１５、及び記憶部１６を備えている。また、送受信部１２は、送信部１２ａ及び受信部１２ｂを備えている。
【００１６】
アンテナ１１は、非接触ＩＣカードＩＣＣとの間で電波の送受信を担う。送信部１２ａは、制御部１５の送信制御に基づき非接触ＩＣカードＩＣＣに対して送信する送信信号を変調し、アンテナへ供給する。受信部１２ａは、アンテナ１１を介して受信された受信信号を復調し、制御部１５へ供給する。電源回路１４は、各部で必要とされる電力を供給する。
【００１７】
記憶部１６は、非接触ＩＣカードＩＣＣの種類を示すカード種類情報、及びカード種類情報に対応した検定条件（検定回数）を記憶する。非接触ＩＣカードＩＣＣの種類を示すカード種類情報としては、例えば製造メーカコードと製造コードがある。つまり、記憶部１６は、非接触ＩＣカードＩＣＣの種類毎の検定条件（検定回数）を記憶する。この検定回数に基づく検定処理の詳細については後に詳しく説明する。
【００１８】
図２は、この発明の一例に係る非接触ＩＣカード（無線通信媒体）の概略構成を示す図である。図２に示すように、非接触ＩＣカードＩＣＣは、アンテナ２１、送受信部２２、整流部２３、蓄電池２４、制御部２５、及び記憶部２６を備えている。また、送受信部２２は、送信部２２ａ及び受信部２２ｂを備えている。
【００１９】
アンテナ２１は、カードリーダライタＲＷとの間で電波の送受信を担う。送信部２２ａは、制御部２５の送信制御に基づきカードリーダライタＲＷに対して送信する送信信号を変調し、アンテナへ供給する。受信部２２ａは、アンテナ２１を介して受信された受信信号を復調し、制御部２５へ供給する。整流部２４は、アンテナ２１を介して受信された充電電波を整流して電気エネルギに変換し、この電気エネルギを蓄電池２５へ送るものである。蓄電池２５は、整流部２４から送られる電気エネルギを蓄積（充電）し、カードの各部に動作電源を供給する。記憶部２４は、本非接触ＩＣカードの種類を示すカード種類情報を記憶する。非接触ＩＣカードＩＣＣの種類を示す種類情報としては、例えば製造メーカコードと製造コードがある。
【００２０】
カードリーダライタＲＷは、ポーリングと呼ばれる通信方式により非接触ＩＣカードＩＣＣと通信する。まず、カードリーダライタＲＷの制御部１５は、送信部１２ａ及びアンテナ１１により、非接触ＩＣカードＩＣＣに対してレスポンス（応答データ）を要求するレスポンス要求信号（ポール）を送信する。非接触ＩＣカードＩＣＣは、アンテナ２１を介して、カードリーダライタＲＷからのレスポンス要求信号（ポール）を受けて、整流部２４によりこのレスポンス要求信号から電力が生成され、生成された電力が蓄電池２５へ蓄積され、蓄電池２５に蓄積された電力が各部へ供給される。
【００２１】
また、非接触ＩＣカードＩＣＣは、受け取ったレスポンス要求信号（ポール）に対応して、カードリーダライタＲＷに対してレスポンスを返す。このレスポンスは、非接触ＩＣカードＩＣＣの記憶部２４に記憶された本非接触ＩＣカードの種類を示すカード種類情報が含まれる。カードリーダライタＲＷは、アンテナ１１及び受信部１２ｂにより、非接触ＩＣカードＩＣＣから送信されるレスポンスを受信し、所定の非接触ＩＣカードＩＣＣを確認するとともに、この所定の非接触ＩＣカードＩＣＣと実際のデータの送受信（データの書き込み等）を行なう。
【００２２】
ここで注意すべき点は、図３に示すようなグレーゾーンの存在である。図３は、非接触ＩＣカードの通信特性を説明するための図である。非接触ＩＣカードＩＣＣは、上記説明したように、カードリーダライタＲＷのアンテナ１１から放出される磁界を受信することにより自身が動作するための電力を得て、カードリーダライタＲＷと通信を行なう。
【００２３】
カードリーダライタＲＷからのレスポンス要求信号（カード補足コマンド）に対して、非接触ＩＣカードＩＣＣがレスポンス（応答データ）を送出可能となる位置がアンテナ１１からの距離Ａである（距離Ａの範囲内であれば応答データ送出可能）。実際の通信（データの書き込み等）を安定して実行するためには、アンテナ１１からの距離Ｂまで接近しないと、磁界から得られる電力が不足してリセット状態となり、通信不能となる。つまり、レスポンス要求信号に対して応答可能な通信距離と、非接触ＩＣカードＩＣＣとの間で実際の通信（データの書き込み等）が可能になる通信距離とは異なる。この距離ＡとＢの距離差は、カード製造メーカによりそれぞれ固有の特性がある。
【００２４】
図４は、距離Ａと距離Ｂの距離差が大きく、その結果通信異常となってしまうケースを説明するための図である。リーダライタＲＷは、ＩＣカードＩＣＣに対してカード補足コマンド（Ｐｏｌｌ）を送出し、ＩＣカードからの応答データ（ＲＥＳ）を１回受信してカードの存在を確定し、それ以降の通信処理の実行をするため、カードコマンド（ＣＯＭＭ１）を送出する。
【００２５】
ＩＣカードは、このカードコマンドを受信して内部処理を行い応答データを返そうとするが、ＩＣカードが上記で説明した距離Ｂまで接近していない（ＩＣカードがグレーゾーンの中にある）場合、実行電力不足でリセット状態となり応答データを返すことができず、タイムアウトで通信異常となってしまう。
【００２６】
上記した通信異常を防止するために、この発明の無線ＩＣカードリーダライタＲＷは以下に示すような検定処理を行なう。
【００２７】
図５は、非接触ＩＣカードに関するカード補足検定処理シーケンスの一例を示す概略図である。無線ＩＣカードリーダライタＲＷは、送信部１２ａ及びアンテナ１１により、無線ＩＣカードＩＣＣに対してレスポンスを要求するカード補足コマンド（Ｐｏｌｌ）を送出する。無線ＩＣカードＩＣＣは、アンテナ２１及び受信部２２ｂを介して、無線ＩＣカードリーダライタＲＷから送信されるカード補足コマンド（Ｐｏｌｌ）を受けると、無線ＩＣカードリーダライタＲＷに対して自身の種別を示すカード種別情報を含む応答データ（ＲＥＳ）を返す。
【００２８】
無線ＩＣカードリーダライタＲＷは、アンテナ１１及び受信部１２ｂにより、無線ＩＣカードＩＣＣから送信される応答データ（ＲＥＳ）を受信する。これに対応して、無線ＩＣカードリーダライタＲＷの制御部１５は、受信した応答データに含まれるカード種別情報、及び記憶部１６に記憶されたカード種別情報に関連付けられた種別毎の検定条件（検定回数）に基づき、応答データの送信先である無線ＩＣカードＩＣＣに対する検定回数ｎを設定する。
【００２９】
さらに、制御部１５は、送信部１２ａ及びアンテナ１１により、カード補足コマンド（Ｐｏｌｌ）を検定回数分、つまりｎ回送信させる。これに対応して、アンテナ１１及び受信部１２ｂにより検定回数分、つまりｎ回のカード補足コマンド（Ｐｏｌｌ）に対応する応答データを全て正常に受信できた場合（制御部１５により応答データの１００％の受信が確認された場合）、応答データの送信先である無線ＩＣカードＩＣＣの位置が、図３に示す距離Ｂに近い或いはそれ以内にあるものと推測し、応答データの送信先である無線ＩＣカードＩＣＣを確定して、以降のカードコマンド（ＣＯＭＭ１〜３）の通信を実施する。これにより、上記したような電力不足という事態を防止することができ、カードとの通信が安定し、正常な通信を実現することができる。
【００３０】
図６は、非接触ＩＣカードに関するカード補足検定処理におけるリトライ処理シーケンスの一例を示す概略図である。アンテナ１１及び受信部１２ｂにより、検定回数分（ｎ回）のカード補足コマンド（Ｐｏｌｌ）に対応する応答データの受信確率が所定の確率未満である場合、具体的には例えば受信確率が５０％以上８０％未満の場合、制御部１５は、非接触ＩＣカードＩＣＣの位置が図３に示す距離Ａから距離Ｂの間（グレーゾーン）であると推測し、ムダな通信を避けるために、受信確率にあわせて時間待ちＴを設定する。つまり、受信確率が高いほど（８０％に近いほど）待ち時間Ｔは短い時間となり、逆に受信確率が低いほど（５０％に近いほど）待ち時間Ｔは長い時間となる。
【００３１】
制御部１５は、待ち時間Ｔが経過するまで通信を停止させる。つまり、ユーザーが非接触ＩＣカードＩＣＣをカードリーダライタＲＷに近づけるのを待つ。制御部１５は、待ち時間Ｔが経過後、再度、送信部１２ａ及びアンテナ１１により、カード補足コマンド（Ｐｏｌｌ）を検定回数分送信、つまりｎ回送信させる。これに対応して、アンテナ１１及び受信部１２ｂにより検定回数分、つまりｎ回のカード補足コマンド（Ｐｏｌｌ）に対応する応答データを全て正常に受信できた場合（制御部１５により応答データの１００％の受信が確認された場合）、応答データの送信先である無線ＩＣカードＩＣＣの位置が、図３に示す距離Ｂに近い或いはそれ以内にあるものと推測し、応答データの送信先である無線ＩＣカードＩＣＣを確定して、以降のカードコマンド（ＣＯＭＭ１〜３）の通信を実施する。
【００３２】
図７は、非接触ＩＣカードに関するカード補足検定処理におけるリトライ処理シーケンスの別例を示す概略図である。上記したように受信確率が１００％ではないが、リトライ判定基準を上回る８０％以上１００％未満であった場合、応答データの送信先の非接触ＩＣカードＩＣＣはまだ確定できないが、非接触ＩＣカードＩＣＣがカードリーダライタＲＷに近づいてきていることが予測できる。この場合は、時間待ちＴを設定することなく、直ちに再び検定を続けるよう処理することで、すばやくスムーズな検定・カード補足確定をすることができる。この場合も受信確率が１００％になった時点でカード補足を確定し、上記で説明した図３のように、以降のコマンド通信処理を実行することで、安定した通信が確保できる。
【００３３】
或いは、受信確率が１００％でない場合には、制御部１５は、送信部１２ａ及びアンテナ１１により、再びカード補足コマンド（Ｐｏｌｌ）を１回以上送信させる。この後、先の検定回数分のカード補足コマンド（Ｐｏｌｌ）に対応する応答データの受信、及び再び１回以上送信したカード補足コマンド（Ｐｏｌｌ）に対応する応答データの受信を含む全ての応答データの受信における連続受信回数が所定回数以上になることを条件として、応答データの送信先である非接触ＩＣカードを確定することもできる。
【００３４】
一例を挙げると、検定回数が１０回であり、１０回のカード補足コマンド（Ｐｏｌｌ）のうち前半の３回のカード補足コマンド（Ｐｏｌｌ）に対応する応答データだけが受信できなかったとする。つまり、後半の７回のカード補足コマンド（Ｐｏｌｌ）に対応する応答データは受信できたとする。この場合、再びカード補足コマンド（Ｐｏｌｌ）を３回送信し、この３回のカード補足コマンド（Ｐｏｌｌ）に対応する応答データが受信できたとすると、合計１０回連続で応答データが受信できたことになり、この時点で応答データの送信先である非接触ＩＣカードを確定する。この方法によれば、無駄なく短時間でカードの確定が可能となる。
【００３５】
以上説明しように、この発明によれば、リーダライタ内部に記憶されるカードの種類毎の通信制御情報を、上位機器あるいは保守メンテナンス装置からシリアル通信インタフェース等を使用してダウンロードすることで新しい情報を追加更新することができ、ハードウェアの改修を行なわずに、新規参入メーカのカード、新型カード、或いはリーダライタの設置環境等に対応することができる。ハードウェアの構造も複雑にならないので、開発コストの削減が可能となる。
【００３６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３７】
【図１】この発明の一例に係るカードリーダライタ（無線通信装置）の概略構成を示す図である。
【図２】この発明の一例に係る非接触ＩＣカード（無線通信媒体）の概略構成を示す図である。
【図３】非接触ＩＣカードの通信特性、例えばグレーゾーンを説明するための図である。
【図４】カードリーダライタと非接触ＩＣカードとの間で通信異常となるケースを説明するための図である。
【図５】非接触ＩＣカードに関するカード補足検定処理シーケンスの一例を示す概略図である。
【図６】非接触ＩＣカードに関するカード補足検定処理におけるリトライ処理シーケンスの一例を示す概略図である。
【図７】非接触ＩＣカードに関するカード補足検定処理におけるリトライ処理シーケンスの別例を示す概略図である。
【符号の説明】
【００３８】
ＲＷ…カードリーダライタ、１１…アンテナ、１２…送受信部、１２ａ…送信部、１２ｂ…受信部、１５…制御部、１６…記憶部、ＩＣＣ…非接触ＩＣカード、２１…アンテナ、２２…送受信部、２３…整流部、２４…蓄電池、２５…制御部、２６…記憶部
【図１】
2005094586.tif 000003
【図２】
2005094586.tif 000004
【図３】
2005094586.tif 000005
【図４】
2005094586.tif 000006
【図５】
2005094586.tif 000007
【図６】
2005094586.tif 000008
【図７】
2005094586.tif 000009